【手続補正書】
【提出日】平成19年11月22日(2007.11.22)
【手続補正１】
【補正対象書類名】明細書
【補正対象項目名】全文
【補正方法】変更
【補正の内容】
【書類名】  明細書
【発明の名称】スライダ装置および不正開封明示機構を有する再閉可能パッケージ
【特許請求の範囲】
【請求項１】
柔軟性を有する再閉可能パッケージであって：
(a) 共に固定され内部を定義する第一および第二パネル部と；
(b) 頂辺に沿って前記各第一および第二パネル部のそれぞれにシール付けされるとともに、第一側端から第二側端へと伸長するジッパークロージャーであって、第一および第二嵌合形状(first and second mating profiles)を備えたジッパークロージャーと；
(c) 前記ジッパークロージャーに取り付けるとともに、スライダ装置が第一の方向へ移動した場合、前記第一嵌合形状と前記第二嵌合形状を嵌合させ、スライダ装置が逆の第二の方向へ移動した場合、前記第一嵌合形状を前記第二嵌合形状から離脱させるよう構成され配置されたスライダ装置であって、前記第一側端近傍の前記ジッパークロージャー上に移動可能に取り付けられているスライダ装置と；
(d) 前記スライダ装置と前記第二側端間に位置する橋脚部(abutement)であって、前記ジッパークロージャーに沿った前記スライダ装置の移動を制限する位置に載置された橋脚部と；および
(e)少なくとも前記ジッパークロージャーの一部を収納する(encasing)第一の不正開封明示機構であって、前記第二側端から前記橋脚部へと伸長する第一の不正開封明示機構と；を備えたこと、
を特徴とするもの。
【請求項２】
柔軟性を有する再閉可能パッケージであって：
(a) 共に固定され内部を定義する第一および第二パネル部と；
(b) 頂辺に沿って前記各第一および第二パネル部にシール付けされるとともに、第一側端から第二側端へと伸長するジッパークロージャーであって、第一および第二嵌合形状(first and second mating profiles)を備えたジッパークロージャーと；
(c) 前記ジッパークロージャーに取り付けるとともに、スライダ装置が第一の方向へ移動した場合、前記第一嵌合形状と第二嵌合形状を嵌合させ、スライダ装置が逆の第二の方向へ移動した場合、前記第一嵌合形状を第二嵌合形状から離脱させるよう構成され配置されたスライダ装置であって、第一側端近傍の前記ジッパークロージャー上に移動可能に取り付けられているスライダ装置と；
(d) 前記スライダ装置と前記第二側端間に位置する橋脚部(abutement)であって、前記ジッパークロージャーに沿った前記スライダ装置の移動を制限する位置に載置された橋脚部と；
(e)少なくとも前記ジッパークロージャーの一部を収納する(encasing)第一の不正開封明示機構であって、前記第二側端から前記橋脚部へと伸長する第一の不正開封明示機構と；および
(f) 前記ジッパークロージャーと前記内部の間に位置する第二の不正開封明示機構であって、前記第一パネル部から前記第二パネル部へ伸長する第二の不正開封明示機構と；を備えたこと、
を特徴とするもの。
【請求項３】
柔軟性を有する再閉可能パッケージであって：
(a) 共に固定され内部を定義する第一および第二パネル部と；
(b) 頂辺に沿って前記各第一および第二パネル部にシール付けされるとともに、第一側端から第二側端へと伸長するジッパークロージャーであって、第一および第二嵌合形状(first and second mating profiles)を備えたジッパークロージャーと；
(c) 前記ジッパークロージャーに取り付けるとともに、スライダ装置が第一の方向へ移動した場合、前記第一嵌合形状と第二嵌合形状を嵌合させ、スライダ装置が逆の第二の方向へ移動した場合、前記第一嵌合形状を第二嵌合形状から取り外すよう構成され配置されたスライダ装置であって、第一側端近傍の前記ジッパークロージャー上に移動可能に取り付けられているスライダ装置と；
(d) 前記スライダ装置と前記第二側端間に位置する橋脚部(abutement)であって、前記ジッパークロージャーに沿った前記スライダ装置の移動を制限する位置に載置された橋脚部と；
(e)少なくとも前記ジッパークロージャーの一部を収納する(encasing)第一の不正開封明示機構であって、前記第二側端から前記橋脚部へと伸長する第一の不正開封明示機構と；および
(f) 前記第一の不正開封明示機構内に存在し、前記ジッパークロージャーの下でそれに沿って伸長する弱い領域(area of weakness)と；を備えたこと、
を特徴とするもの。
【請求項４】
内部を定義するパッケージ本体と；前記パッケージ本体の頂辺に沿って第一側端から第二側端へと伸長する第一および第二嵌合形状(first and second mating  profiles)を備えたジッパークロージャーであって、前記内部へのアクセスを許容するジッパークロージャーと；前記第一側端近傍の前記ジッパークロージャー上に移動可能に取り付けられたスライダ装置であって、当該スライダ装置が第一の方向へ移動した場合、前記第一嵌合形状と第二嵌合形状を嵌合させ、当該スライダ装置が逆の第二の方向へ移動した場合、前記第一嵌合形状を第二嵌合形状から取り外すスライダ装置と；少なくとも前記ジッパークロージャーの一部を収納し、前記第二側端から橋脚部(abutement)へと伸長する第一の不正開封明示機構であって、前記スライダ装置は前記橋脚部と前記第一側端との間に位置し、前記橋脚部が前記スライダ装置の移動を制限する位置に配置された第一の不正開封明示機構と；および、必要であれば、前記ジッパークロージャーと前記内部間に位置する第二の不正開封明示機構であって、前記第一パネル部から前記第二パネル部へと伸長する第二の不正開封明示機構と；を備えた柔軟性を有するパッケージを用いる方法であって、
前記方法は：
(a) 前記第一の不正開封明示機構および前記橋脚部を前記柔軟性パッケージから除去するステップと；
(b) 前記第一および前記第二嵌合形状を離脱させるため、前記スライダ装置を第一の方向へ移動させるステップと；ならびに
(c) もし、存在していれば、前記第二の不正開封明示機構を除去するするステップと；を備えたこと、
を特徴とするもの。
【請求項５】
内部を定義するパッケージ本体と；前記パッケージ本体の頂辺に沿って第一側端から第二側端へと伸長する第一および第二嵌合形状(first and second mating  profiles)を備えたジッパークロージャーであって、前記内部へのアクセスを許容するジッパークロージャーと；前記第一側端近傍の前記ジッパークロージャー上に移動可能に取り付けられたスライダ装置であって、当該スライダ装置が第一の方向へ移動した場合、前記第一嵌合形状と第二嵌合形状を嵌合させ、当該スライダ装置が逆の第二の方向へ移動した場合、前記第一嵌合形状を第二嵌合形状から取り外すスライダ装置と；および少なくとも前記ジッパークロージャーの一部を収納し、前記第二側端から橋脚部(abutement)へと伸長する不正開封明示機構であって、前記スライダ装置は前記橋脚部と前記第一側端との間に位置するとともに、前記橋脚部が前記スライダ装置の移動を制限する位置に配置されたものと；を備えた柔軟性を有するパッケージを製造する方法であって、
前記方法は：
(a) 内部表面を有し、パッケージ内部を定義するパッケージ本体を供給するステップと；
(b) 前記パッケージ本体の前記内部表面にジッパークロージャーを取り付けるステップと；
(c) スライダ装置をジッパークロージャー上に取り付けるステップと；
(d) 以下のステップにより、前記ジッパークロージャー上に前記パッケージ本体と一体となる第一の不正開封明示機構を形成するステップと：
(i) 前記パッケージ本体を前記ジッパークロージャーの上方にシールするステップ；
(ii) その中に前記スライダ装置が存在する前記開口を記パッケージ本体内に形成するステップ：および
(iii) 前記第一の不正開封明示機構内に弱い領域(area of weakness)を設けるステップ：を備えたこと、
を特徴とするもの。
【発明の詳細な説明】
【発明の分野】
本発明は、再閉可能パッケージに関する。特に、本開示は、パッケージを開閉するためのスライダ装置（slider device)、および不正開封明示機構(tamper-evident structures)、を有するパッケージについて説明したものである。    【発明の背景】
【０００１】
柔軟性を有するパッケージであって、特に密閉可能(resealable)かつ再閉可能なものは、消費財の包装によく用いられる。最初に品物の包装を開け、その品物を完全に使い切らなかった場合、ジッパー型クロージャーによって当該包装を再び閉じ、残りの品物を新鮮に保つ。ジッパー型クロージャーによって、バッグのようなパッケージ内によく包装される消費財には、鉢植え用土(potting soil)、肥料、ペットフード、犬用ビスケット、野菜、シリアル、および人間が食する多くの種類の食品が含まれる。
【０００２】
ジッパー型クロージャーの開閉動作は、ジッパー型クロージャー上に取り付けられているスライダ装置によって円滑にされることが多い。スライダ装置は、スライダ装置がジッパーに沿って第一の方向へ移動した場合、連結ジッパークロージャー部材を離脱し(pry apart)、スライダ装置が前記ジッパーに沿って逆の第二の方向へ移動した場合、連結ジッパークロージャー部材と噛み合うよう構成されている。ある用途においては、ジッパークロージャーに対するアクセスがなされたか否かを知らせる不正開封明示機構が所望される。
【０００３】
不正開封明示機構の例としては、ドブレスキー等(Dobreski et.al.)に対する米国特許番号５，６６９，７１５に開示されているものがある。この不正開封明示機構は、ジッパークロージャー部材のフランジをスライダ装置の上方レベルで延長することにより設けられる。ジッパークロージャーのフランジの一部が、スライダ装置の上方レベルで延長しており、これによってスライダ装置の移動が禁止される。スライダ装置を移動させ、パッケージ内部へアクセスするには、ジッパークロージャーの上端から当該不正開封明示機構を除去しなければならない。ある例によれば、こうして出来たジッパークロージャーの上端表面は、起伏があり(rough)、凹凸(ragged)であってもよく、そうでなくても不完全な表面(imperfect surface)を有していてもよい。スライダ装置がジッパークロージャーに沿って移動する場合、かかる不完全な表面により、問題が生じるおそれがある。
【０００４】
このような形式のパッケージについて改良が望まれる。
【発明の概要】
【０００５】
本開示は、密閉可能かつ再閉可能なジッパークロージャー機構を有する柔軟性のバッグであって、その開閉がスライダ装置によってなされるものに関する。前記スライダ装置は、クロージャー構造上に取り付けられ、第一クロージャー形状と第二クロージャー形状を嵌合し、離脱するよう構成され配置される。前記スライダ装置が第一の方向に移動すると、前記第一クロージャー形状は第二クロージャー形状と嵌合し；前記スライダ装置が逆の第二の方向に移動すると、前記第一クロージャー形状は第二クロージャー形状から離脱する。不正開封明示シールは、パッケージ内へのアクセスがなされたか否かの形跡を残するようジッパークロージャー外面上に設けられる。さらに、第二の内部不正開封明示機構のような開封明示機構又はピールシールを前記パッケージ内に設けることも可能である。
【０００６】
本開示は、特に、共に固定され内部を定義する第一および第二パネル部を備えた柔軟性を有する再閉可能パッケージに関する。ジッパークロージャーは、前記パッケージの頂辺に沿って前記第一および第二パネル部のそれぞれにシール付けされるとともに、前記第一側端から前記第二側端へと伸長している。また、前記ジッパークロージャーは、第一および第二嵌合形状(first and second mating profiles)を備えている。前記ジッパークロージャー上に取り付けられ、スライダ装置が第一の方向へ移動した場合、前記第一嵌合形状と第二嵌合形状を嵌合させ、スライダ装置が逆の第二の方向へ移動した場合、前記第一嵌合形状を第二嵌合形状から離脱させるよう構成され配置されたスライダ装置は、前記ジッパークロージャー上に移動可能に取り付けられている。不正開封明示機構は、少なくとも前記ジッパークロージャーの一部を収納する(encasing)するともに、前記スライダ装置と前記第二側端間に位置する前記第二側端から橋脚部へと伸長する。
【０００７】
かかるパッケージを製造する方法、および当該パッケージの使用方法、も開示される。
【詳細な説明】
【０００８】
スライダ装置をバッグ等の柔軟性パッケージに追加することは、ジッパークロージャーのみを用いてバッグを再閉する身体能力を有しない高齢者又は関節炎の患者にとって有益である。更に、柔軟性パッケージへのかかるスライダ装置の追加は、全ての世代、身体能力のユーザーによる当該バッグの使用を促進する。外部不正開封明示機構の存在により、パッケージ内部および内容物への不要なアクセスを確実に防止する。
【０００９】
図１および２に、柔軟性を有する再閉可能パッケージ１０を示す。パッケージ１０は、第一側端１３、底端１５、第二側端１７、および頂端１９、の四つの端部を含んでいる。図２に最もよく現れているように、端部１３、１５、１７を伴い、内部１１を定義する高分子フィルムの側面パネル１２および１４（図２）が、パッケージ１０の構造を提供している。
【００１０】
側面パネル１２、１４は、側端１３、１７、底端１５、および頂端１９において互いに接続されている。図１において、側端１３、１７は、パネル１２および１４に対して熱および圧力を印加して形成したシールである。図２に最もよく現れているように、底端１５は、一枚のシートにより二枚の側面パネルを形成するために折りたたまれる場合に形成される側面パネル１２および１４間の折り畳み線である。ある実施形態において、底端１５は、側面パネル１２および１４に対して熱および圧力を印加して形成したシールであってもよい。
【００１１】
パッケージ１０を開閉させるための嵌合形状を有するジッパークロージャー配列２０（図１に想像線で示す）は、パッケージ１０の頂端１９近傍において第一側端１３から第二側端１７へ伸長する。前記ジッパークロージャー２０は、様々な構成および構造を備えることができる。ジッパークロージャー２０は、既知のどのような方法、例えば、それぞれ本願開示に引用する米国特許番号４，２４０，２４１；４，２４６，２８８；および４，４３７，２９３に開示されている方法、によっても構成することができる。図２は、嵌合形状、すなわち、第一嵌合形状２２および第二嵌合形状２４、を伴うジッパークロージャー２０を示している。第一嵌合形状２２および第二嵌合形状２４は、例えば、パッケージ１０を開放、閉鎖するために、嵌合し離脱する。さらに、図２を参照すると、前記ジッパークロージャー２０の第一嵌合形状２２および第二嵌合形状２４は、各シーリングフランジ２６、２８によって前記側面パネル１２、１４に、それぞれ取り付けられている。
【００１２】
スライダ装置３０は、前記ジッパークロージャー２０の開閉を促進するよう、その上に設けられている。スライダ装置、および、通常それらがジッパークロージャーを開閉するためにどのように機能するかについては、例えば、それぞれ本願開示に引用する米国特許番号５，０６３，６４４；５，３０１，３９４；および５，６６４，２２９に教示されている。好ましいスライダ装置については、それらの全体が本願に引用され、いずれもが１９９９年７月３０日に出願された米国特許出願番号０９／３６５，２１５および２９／１０８，６５７に、教示されている。スライダ装置３０が、図１から図４までに図示されてはいるが、当該装置は、米国特許出願番号０９／３６５，２１５および２９／１０８，６５７の開示に基づき構成、配置することが好ましい。
【００１３】
ジッパークロージャー２０の二つの部分であって、一つが第一側端１３近傍にあり、他の一つ第二側端１７の近傍にあるものは、スライダ停止領域として機能する。これらのスライダ停止領域は、超音波クラッシュ(ultrasonic crushing)により破壊されることが好ましく、これらは、図１にクラッシュ領域２３、２７として示される。このスライダ停止領域又はクラッシュ領域は、スライダ装置３０がパッケージ１０の側端１３、１７から滑り落ちる(slide off)おそれを最小化するため、第一および第二嵌合形状２２および２４の双方を確実にシールする。かかるスライダ停止領域又はクラッシュ領域は、更に、スライダ装置３０が第一側端１３又は第二側端１７に当接する傾向を最小化する。
【００１４】
ジッパークロージャー２０内には、ノッチ（図示せず）を設けることが好ましい。当該ノッチは、ジッパークロージャー２０がシールされた場合、その中にスライダ装置３０が位置する”駐車位置（parking place)”を提供するよう構成される。かかるノッチは、第一嵌合形状２２と第二嵌合形状２４間での不完全な嵌合の可能性を減少することができる可能性がある。ノッチの例は、例えば、それぞれ本願開示に引用する米国特許番号５，０６７，２０８および５，３０１，３９５に開示されている。
【００１５】
図１および２において、パッケージ１０は、スライダ装置３０を第一側端１３近傍、好ましくはいずれかのノッチ内に保持するため頂端１９に取り付けられる不正開封明示機構３５を備えている。”不正開封明示”とは、消費者に対し、パッケージ１０が既に開封されているか否かの表示が与えられることを意味する。パッケージ１０の内部１１（図２）にアクセスするためには、不正開封明示機構３５を破らなくてはならない。図１および図２に示す実施形態において、不正開封明示機構３５は、ジッパークロージャー２０の大半を覆う完全な囲いを形成するとともに、スライダ装置３０を露出させる。図２に最もよく示されるように、不正開封明示機構３５は、ジッパークロージャー２０の下方から伸長しており、第一、第二嵌合形状２２、２４を収納し、取り囲む。特に、不正開封明示機構３５は、頂辺１９に沿って第二側端１７（図１）から第一側端１３へと伸長し、橋脚部(abutement)３３で終了する。不正開封明示機構３５は、第一側端１３から第二側端１７間の少なくとも５０％の長さに伸長し、通常、少なくとも７５％に伸長している。好ましい実施形態において、不正開封明示機構３５は、少なくとも８０％に伸長し、第二側端から第一側端１３までの少なくとも９０％の長さに伸長することがさらに好ましい。不正開封明示機構３５によって覆われないジッパークロージャー２０の量を最小化することが望ましい。したがって、不正開封明示機構３５は、スライダ装置３０に達するまでに、橋脚部３３に向かい、そこで終了することが好ましい。不正開封明示機構３５は、スライダ装置３０を収納していない。図１に示す実施形態において、不正開封明示機構３５のいずれの部分もスライダ装置３０を越えず、上方に伸長せず、それを覆うこともない。ある実施形態において、橋脚部３３からスライダ装置３０までの距離は、２センチメートルを超えない。他の実施形態においては、この距離は約０．５センチメートル以上である。通常、橋脚部３３からスライダ装置３０までの距離は、約１ミリメートルから１センチメートルであるが、約２ミリメートルから５ミリメートル（０．５センチメートル）であることが好ましい。
【００１６】
図２に最もよく示されるように、不正開封明示機構３５は、ジッパークロージャー２０上方において側面パネル１２、１４の上端同士を頂端１９においてシールすることにより形成される。不正開封明示機構３５の頂端１９に沿ったシールは、連続的であることが好ましく、すなわち、頂端１９に沿った側面パネル１２、１４間に未シール部分がない方が好ましい。しかしながら、他の実施形態においては、頂端１９に沿ったスポットシールであってもよい。更に、他の実施形態においては、かかるシールを取り外し、破って未シールの頂端１９を残すようにしてもよい。不正開封明示機構３５の各端部、すなわち、第二側端１７および橋脚部３３もまた連続的にシールされていることが好ましい。
【００１７】
橋脚部３３は、ジッパークロージャー２０に対し、ほぼ垂直に伸長している。 かかる橋脚部３３は、超音波溶接(ultrasonic welding)、クラッシュ、熱シール又は機械接合、化学接着剤によって形成することもできる。橋脚部３３全体、すなわち、ジッパークロージャー２０から頂端１９まで、を連続的にシールする必要はない。
【００１８】
パッケージ内部１１にアクセスするには、スライダ装置３０をジッパークロージャー２０に沿って移動させなければならず、これは、不正開封明示機構３５が既に突き破られ、通常は除去されている場合のみに可能である。不正開封明示機構３５は、不正開封明示機構３５の簡単な除去を可能にする弱い領域３８を含んでいる。いくつかのパッケージの実施形態において、弱い領域３８は、ジッパークロージャー２０を露出させるために、不正開封明示機構３５を簡単に除去でき、その結果スライダ装置３０を移動できるようなものであれば、ミシン目(perforation line)、開封帯(tear strip)、ジップストリップ(zip strip)、レーザースコアー（laser score)又は、他のどの形式の弱い領域であってもよい。この弱い領域３８は、不正開封明示機構３５の全長に渡って伸びており、ジッパークロージャー２０の下方に位置するので、スライダ装置３０がジッパークロージャー２０に沿って移動した場合にも邪魔にならない。
【００１９】
不正開封明示機構３５がジッパークロージャー２０上に存在する場合、パッケージ１０の真の頂端２９は、不正開封明示機構３５内に収納される。通常、頂端２９は、第一および第二嵌合形状２２、２４によって定義される。不正開封明示機構３５が弱い領域３８において除去されていた場合、前記真の頂端２９は露出し、当該頂端２９がスライダ装置３０を除きパッケージ１０の最上部となる。前記頂端２９の上方には、そこに伸長する他のフィルム部又は他の構造は存在しない。
【００２０】
図４は、ジッパークロージャー２０上から不正開封明示機構３５を除去したパッケージ１０を示している。ここでは、頂端２９が露出しており、ジッパークロージャー２０を開放し内部１１にアクセスするため、スライダ装置３０は、第一側端１３における第一クラッシュ領域から第二側端１７の第二クラッシュ領域２３へ容易に移動することができる。かつて弱い領域３８があった場所にパネルエッジ４０が露出している。不正開封明示機構３５が除去されると、かつて弱い領域３８があった場所の上方には、不正開封明示機構がほとんど残存していないことに注意すべきである。スライダ装置３０と物理的に接触するであろう材料が残存しておらず、ジッパークロージャー２０に沿ったスライダ装置３０の動きを損なうようなものも残存していない。
【００２１】
図３は、第二の不正開封明示機構を備えたことを除いて、図１および２のパッケージ１０と類似する第二の実施形態であるパッケージ１０’を示している。図３に示すように、第二不正開封明示機構３６を側面パネル１２、１４間に位置させることができる。これにより、パッケージ１０’の内部１１にアクセスするために破らなくてはならない二番目の障壁が設けられる。一般に、当該第二不正開封明示機構３６は、ジッパークロージャー２０と内部１１間に位置することから、内部不正開封明示機構と位置づけられる。図３に示す第二不正開封明示機構３６は、ウェッブ状材料であり、第一および第二嵌合形状２２、２４のシーリングフランジ２６、２８間にジッパークロージャー２０にわたって伸長する高分子フィルムであることが好ましい。この第二不正開封明示機構３６の破壊は、ミシン目(perforation line)、テイアービード(tear bead)、ジップストリップ(zip strip)等を用いることで実行される。
【００２２】
これに代え又は加えて、内部１１用の密閉バリア(hermetic barrier)を提供するため、側面パネル１２、１４間又はジッパークロージャー２０のシーリングフランジ２６、２８の間にピールシール(peel seal)を位置させるようにしてもよい。ピールシールは、再閉可能であってもよく、すなわち、複数回開閉可能であってもよい。また、ピールシールは、一度破られると再閉ができない使い捨てのシール(single use seal)でもよい。ピールシールの例は、例えば、それぞれ本願開示に引用する米国特許番号４，９２５，３１６および５，８９３，６４５に開示されている。
【００２３】
パッケージ１０およびパッケージ１０’は、パッケージ業界で一般に知られた技術により製造することができる。ある実施形態において、側面パネル１２、１４は、底端１５を形成するため、折り畳んだ一枚のシート又はウェッブ状材料で形成してもよく、または、パッケージ１０およびパッケージ１０’を形成するため、二枚の素材を底端１５でシールするようにしてもよい。ジッパークロージャー２０は、側面パネル１２、１４間に配置され、ジッパークロージャー２０のシーリングフランジ２６、２８（図２）は、側面パネル１２、１４の内表面にシールされる。ある実施形態において、例えば、図３のパッケージ１０’を製造する場合、ジッパークロージャー２０は、その中に第二不正開封明示機構３６（図３）を組み込むようにしてもよい。
【００２４】
各側面パネル１２、１４の最上部が、ジッパークロージャー２０およびスライダ装置３０を収納するため、その上に配置される。語句”最上”は、側面パネル１２、１４の内部１１（図２）を定義しない一部を意味し；他の見地から”最上”は、不正開封明示機構３５を形成する側面パネル１２、１４の一部を意味する。側面パネル１２、１４の各最上部は、頂端１９（図２）においてシールされ、不正開封明示機構３５が形成される。不正開封明示機構３５を設置するため、側面パネル１２、１４のシールが行なわれる前又はその後に、側面パネル１２、１４の最上部内に、開口３３を設けることができる。開口３３は、型抜き(die cutting)、スリッティング(slitting)、レーザー切断 (laser cutting)、又はそのような方法のいずれを用いても形成することができる。
【００２５】
通常、側端１３、１７は、必要に応じ、側面パネル１２，１４およびジッパークロージャー２０を切断し、熱シール(thermally sealing)により形成される。これらの側端１３、１７は、不正開封明示機構３５設置前又は設置後のいずれでも形成することが可能である。
【００２６】
図１、２および図３のバッグ構造を開封するには、最初に、弱い領域３８に沿って不正開封明示機構３５を破ることにより除去し、次に、ジッパークロージャー２０およびスライダ装置３０にアクセスする。これにより、図４に示す構成が現われる。次に、スライダ装置３０が、第一側端１３における元の位置（図１）からジッパークロージャー２０に沿って第二側端１７（図１）に動かされる。ジッパークロージャー２０に沿ったスライダ装置３０移動により、第一および第二嵌合形状２２、２４（図２および３）は離脱し、内部１１（図２）へのアクセスを可能にする。図３のパッケージ１０’のようなパッケージについては、内部１１にアクセスする前に第二不正開封明示機構３６を破らなければならない。
【００２７】
上記明細書は、本発明の特定の実施形態の製造および使用を行うための完全な詳細を提供するものと信じる。本発明の精神および範囲に反することなく、本発明の様々な実施形態をなすことができる。
【図面の簡単な説明】
【００２８】
【図１】
図１は、スライダ装置および不正開封明示機構を有する、柔軟性を有する再閉可能パッケージの一実施形態を示す正面図であり；
【図２】
図２は、図１の柔軟性を有する再閉可能パッケージの線２−２における断面図であり；
【図３】
図３は、柔軟性を有する再閉可能パッケージの第二実施形態の断面図であって、図１の線２−２におけるものと類似する断面図であり；
【図４】
図４は、図１および図２に示す柔軟性を有する再閉可能パッケージであって、不正開封明示機構を除去したものの正面図である。